(57)【要約】【課題】  大きな内部モジュールを配置することができるとともに小型化及び薄型化を図ることができ、しかも、携帯時における使用態様に適した機能を有する携帯機器を提供する。【解決手段】  本発明の携帯機器１０は、所定方向に交差する姿勢で配置された橋梁部１１ｔを前記所定方向の中間部の表面に備えたベース部材１１と、前記ベース部材１１の表面上に装着され、前記橋梁部１１ｔの表面上から前記所定方向の両側にそれぞれ配置される二つのカバー部材１２，１３と、前記ベース部材１１と前記カバー部材１２，１３の間において、前記橋梁部１１ｔの裏側を貫通し、前記橋梁部１１ｔの前記両側に亘り収容配置された内部モジュール１４と、を具備することを特徴とする。【選択図】図２
2007051965.tif 000002
【特許請求の範囲】
【請求項１】
所定方向に交差する姿勢で配置された橋梁部を前記所定方向の中間部の表面に備えたベース部材と、
前記ベース部材の表面上に装着され、前記橋梁部の表面上から前記所定方向の両側にそれぞれ配置される二つのカバー部材と、
前記ベース部材と前記カバー部材の間において、前記橋梁部の裏側を貫通し、前記橋梁部の前記両側に亘り収容配置された内部モジュールと、
を具備することを特徴とする携帯機器。
【請求項２】
前記ベース部材は前記所定方向にその裏側へ向けて湾曲した形状に構成されていることを特徴とする請求項１に記載の携帯機器。
【請求項３】
前記ベース部材は前記所定方向に延長した形状に構成されていることを特徴とする請求項１又は２に記載の携帯機器。
【請求項４】
一方の前記カバー部材は表示窓を有し、前記内部モジュールは、前記表示窓を通して視認可能な表示体を有することを特徴とする請求項１乃至３のいずれか一項に記載の携帯機器。
【請求項５】
前記内部モジュールは、他方の前記カバー部材に被覆され、前記表示体に導電接続された配線基板をさらに有することを特徴とする請求項４に記載の携帯機器。
【請求項６】
前記橋梁部は、前記ベース部材の表面のうちの少なくとも外縁部と連続した表面形状を備えていることを特徴とする請求項１乃至５のいずれか一項に記載の携帯機器。
【請求項７】
前記ベース部材は楕円に沿った湾曲形状を有し、前記橋梁部は、前記楕円の短軸との交点よりも長軸との交点に近い部分に沿った中途領域に設けられていることを特徴とする請求項１乃至６のいずれか一項に記載の携帯機器。
【請求項８】
前記内部モジュールは少なくとも前記所定方向に湾曲可能な可撓性を有することを特徴とする請求項１乃至７のいずれか一項に記載の携帯機器。
【発明の詳細な説明】
【技術分野】
【０００１】
本発明は携帯機器に係り、特に、腕装着型携帯機器、或いは、携帯表示機器として構成する場合に好適な機器の構造に関する。
【背景技術】
【０００２】
一般に、腕時計、ダイバーズコンピュータ等の腕装着型携帯機器（電子機器）は、表示部を備えた本体と、この本体に接続されたバンド部とを備えている。バンド部は金属や皮革等からなり、本体を腕に保持するように構成されている。
【０００３】
一方、腕に沿って湾曲してなるケース構造を有し、本体とバンドが一体化されたリストバンド状の腕時計のコンセプトが発表されている。このような構造は、従来の本体とバンドを備えた腕時計とは大きく異なるデザインを可能とするものであり、しかも、従来のように本体寸法に制約を受けないため、きわめて大きな表示面積を確保することができる点で画期的なものである。
【非特許文献１】セイコーウォッチ株式会社  "腕時計の表示技術を革新  電子インク技術を応用した未来型ウオッチを開発"  ［ｏｎｌｕｎｅ］  平成１７年３月、インターネット  ［平成１７年６月２４日検索］  <ＵＲＬ：http://www.seiko-watch.co.jp/press/baseworld/prb_2005/04.html>
【発明の開示】
【発明が解決しようとする課題】
【０００４】
しかしながら、前述のケース構造を備えた腕時計では、大きな表示面積を確保するために、湾曲したケース構造の内部にその湾曲方向に沿って大きな表示領域を備えた内部モジュールを収容しなければならないと同時に、小型化及び薄型化を図る必要があり、さらに、腕時計としての基本的な機能、例えば、防水機能やメンテナンス性を確保しなければならないが、従来の腕時計と同様の構造では、上記のような種々の要件を満たすことができないという問題点がある。
【０００５】
そこで、本発明は上記問題点を解決するものであり、その課題は、大きな内部モジュールを配置することができるとともに小型化及び薄型化を図ることができ、しかも、携帯時における使用態様に適した機能を有する携帯機器を提供することにある。
【課題を解決するための手段】
【０００６】
斯かる実情に鑑み、本発明の携帯機器は、所定方向と交差する姿勢で配置された橋梁部を前記所定方向の中間部の表面に備えたベース部材と、前記ベース部材の表面上に装着され、前記橋梁部の表面上から前記所定方向の両側にそれぞれ配置される二つのカバー部材と、前記ベース部材と前記カバー部材の間において、前記橋梁部の裏側を貫通し、前記橋梁部の前記両側に亘り収容配置された内部モジュールと、を具備することを特徴とする。
【０００７】
この発明によれば、橋梁部の裏側を貫通し、橋梁部の両側に亘るように内部モジュールを配置することにより、小型化及び薄型化を図りつつ、所定方向に沿った広い範囲に内部モジュールを収容することが可能になる。また、ベース部材の表面上に装着された二つのカバー部材を橋梁部の表面に直接若しくは間接的に密接させることで、二つのカバー部材を独立してベース部材に装着する構造により組み立て性やメンテナンス性を充足しつつ、個々のカバー部材の装着部分における密閉性、防水性を得ることが可能になるため、携帯機器としての基本機能を確保することができる。
【０００８】
さらに、内部モジュールを橋梁部の裏側に貫通させた構造とすることにより、内部モジュールの熱変形や寸法のばらつき等に基づく撓みを可能にしつつ内部モジュールを保持することができるため、内部モジュールに機械的ストレスを与えずに収容することができる。また、所定方向の中間部に橋梁部を設けることでベース部材の断面２次モーメントを大きくすることができるため、曲げ剛性を高めることが可能になる。特に、橋梁部の表面上に二つのカバー部材が独立して装着される場合には、ベース部材の橋梁部はカバー部材による支持力を得ることができないが、上記の橋梁部による曲げ剛性の増大により、上記のカバー部材による支持力の欠如を補償することができるので、全体に亘って充分な剛性を確保することが可能になる。
【０００９】
本発明において、前記ベース部材は前記所定方向にその裏側へ向けて湾曲した形状に構成されていることが好ましい。これによれば、腕などにそのまま装着して用いることが可能になる。
【００１０】
本発明において、前記ベース部材は前記所定方向に延長した形状に構成されていることが好ましい。これによれば、所定方向に長い内部モジュールをコンパクトに収容することが可能になる。特に、所定方向に長く、かつ、所定方向に湾曲した形状とすることにより、腕等にブレスレットのように装着することができるコンパクトな携帯機器を構成できる。
【００１１】
本発明において、一方の前記カバー部材は表示窓を有し、前記内部モジュールは、前記表示窓を通して視認可能な表示体を有することが好ましい。これによれば、内部モジュールの表示体により表示窓を通して表示を視認可能な表示機器を実現できる。
【００１２】
本発明において、前記内部モジュールは、他方の前記カバー部材に被覆され、前記表示体に導電接続された配線基板をさらに有することが好ましい。これによれば、他方のカバー部材を取り外すことにより、表示体に導電接続された配線基板に容易にアクセスできる。
【００１３】
本発明において、前記橋梁部は、前記ベース部材の表面のうちの少なくとも外縁部と連続した表面形状を備えていることが好ましい。これによれば、ベース部材の表面の外縁部と橋梁部とが連続した表面形状を有することにより、二つのカバー部材とベース部材との間の密閉性を容易に高めることができる。例えば、パッキンを介してカバー部材とベース部材を密閉する場合でも、パッキンとベース部材の外縁部及び橋梁部との間の当接面を連続的に構成できるので、密閉性、防水性を高めることができる。
【００１４】
本発明において、前記ベース部材は楕円に沿った湾曲形状を有し、前記橋梁部は、前記楕円の短軸との交点よりも長軸との交点に近い部分に沿った中途領域に設けられていることが好ましい。この中途領域（端部以外の領域）には着脱時等において応力が集中しやすいが、橋梁部がこの領域に設けられていることにより、この最も曲率半径の小さい領域の断面２次モーメントを増大させて曲げ剛性を高くすることができるため、湾曲形状を確実に維持することができるとともに、全体構造の薄肉化を図ることができる。また、楕円の長軸との交点の近傍に橋梁部が設けられることで、橋梁部の裏側に設けられた貫通部を直線状に構成することが可能になるとともにその貫通距離を短く構成できるので、内蔵モジュールの挿通作業が容易になる。
【００１５】
本発明において、前記内部モジュールは少なくとも前記所定方向に湾曲可能な可撓性を有することが好ましい。内部モジュールをベース部材の所定方向に湾曲可能な可撓性を有するものとすることで、内部モジュールを橋梁部の裏側に挿通させる作業が容易になる。また、ベース部材が湾曲形状を有する場合には、内部モジュールをベース部材の湾曲形状に沿って撓ませることにより、容易に内部モジュールをケース内に収容することができる。また、内部モジュールをベース部材及び二つのカバー部材に適合した特殊な湾曲形状とする必要がなくなり、内部モジュールの低コスト化及び組み立て作業の容易化を図ることができるため、製造コストを低減できる。
【発明の効果】
【００１６】
本発明によれば、所定方向の広い範囲に沿って大きな内部モジュールを配置することができるとともに小型化及び薄型化を図ることができ、しかも、携帯時における使用態様に適した機能を有する携帯機器を提供できるという優れた効果を奏し得る。
【発明を実施するための最良の形態】
【００１７】
次に、添付図面を参照して本発明の実施形態について詳細に説明する。図１は本発明に係る携帯機器の実施形態の構造を示す概略斜視図、図２は同携帯機器の湾曲方向に沿った断面を示す縦断面図、図３は図２に示す部分Ｓａ〜Ｓｅの各断面構造を示す断面図（ａ）〜（ｅ）である。本実施形態の携帯機器１０は、人体に装着して用いる装着型機器であり、また、内部に電子回路を内蔵した電子機器でもある。より具体的には、腕に装着して用いる腕装着型電子機器である。この腕装着型電子機器としては、例えば、腕時計、ダイバーズコンピュータ、ストップウォッチ、血圧計その他の人体センシング機器などが挙げられるが、それらの具体的な機能に関する記述は省略する。
【００１８】
この携帯機器１０は、湾曲した帯状のベース部材１１と、このベース部材１１の表面側に装着された二つのカバー部材１２，１３とを備えている。また、ベース部材１１とカバー部材１２，１３によって形成されるケース構造の内部には、内部モジュール１４が収容されている。
【００１９】
ベース部材１１はステンレス鋼などの金属、合成樹脂等によって構成され、自立的に（すなわち、標準的な重力以外の応力を受けていない状態で）湾曲形状を保持可能な剛性を備えている。ベース部材１１は略Ｃ字状に湾曲した形状を備え、具体的には、腕（特に手首部）の外周にほぼ沿った湾曲形状、或いは、楕円にほぼ沿った湾曲形状を有している。
【００２０】
ベース部材１１は、図２に示す楕円Ｘにほぼ沿った湾曲形状を有し、楕円Ｘの長軸との交点の一つＸａを楕円Ｘの中心角（長軸と短軸の交点を中心点とする角度）が０度であるとした場合、中心角が０度から２７０度の近傍（２６０〜３００度）までの範囲において伸びている。すなわち、上記の一つの交点Ｘａから短軸との交点Ｘｂ及びもう一つの長軸との交点Ｘｃを通過し、もう一つの短軸との交点Ｘｄの近傍まで、楕円Ｘに沿った形状（略楕円弧形状）を有している。
【００２１】
より具体的には、一方の端部に、やや曲率半径の小さい（曲率半径が２２〜２６ｍｍ程度の）湾曲領域Ａと、この湾曲領域Ａに接続され、湾曲領域Ａよりも曲率半径の大きい（曲率半径が４７〜５１ｍｍ程度の）湾曲領域Ｂと、この湾曲領域Ｂに接続され、湾曲領域Ｂよりも曲率半径の小さい（曲率半径が２２〜２６ｍｍ程度の）湾曲領域Ｃと、湾曲領域Ｃに接続され、湾曲領域Ｃよりも曲率半径の大きい（曲率半径が５４〜５８ｍｍ程度の）湾曲領域Ｄと、湾曲領域Ｄに接続され、湾曲領域Ｄよりも曲率半径の小さい（曲率半径が２２〜２６ｍｍ程度の）湾曲領域Ｅと、この湾曲領域Ｅに接続され、平坦に構成された平坦領域Ｆとを備えている。
【００２２】
ベース部材１１は、上述のように自立的に形状を保持できる剛性を有するが、或る程度の弾性をも有し、着脱時等において人手により多少変形できるものとすることが好ましい。また、ベース部材１１はプレス加工や鍛造加工等で製造できるが、その湾曲形状の精度を高めるためには、金属等の素材のブロック体（或いは板状体）から放電加工等によって上述の湾曲形状に切り出して製造することが望ましい。
【００２３】
図４はベース部材１１の一部を示す平面図である。ベース部材１１の湾曲方向（すなわち長手方向）の一部には、ベース部材１１の湾曲方向（長手方向）と交差する（図示例では直交する）姿勢で橋梁部１１ｔが設けられている。この橋梁部１１ｔは、図３（ｂ）にも示すように、その裏側に湾曲方向に貫通する貫通部１１ｓを伴っている。橋梁部１１ｔは、上記楕円Ｘの中心角２００度の近傍（１８０〜２２０度）の中途領域に形成されている。橋梁部１１ｔはベース部材１１の幅方向に伸び、その両端がベース部材１１の外縁部１１ｘに接続されている。この橋梁部１１ｔは、一体の部材の表面にＴ溝フライス等の工具を用いた切削加工を両側から施すことにより貫通部１１ｓを貫通させることによって形成することができる。また、貫通部１１ｓを形成すべき部分にドリル等の穿孔具で貫通孔を形成し、この貫通孔にワイヤーを挿通させた状態でワイヤカット加工を施すことによっても上記と同様に橋梁部１１ｔを形成できる。さらに、橋梁部１１ｔをベース部材１１とは別部材で作成し、ベース部材１１に対して溶接、溶着、接着等の任意の方法で固定してもよい。
【００２４】
橋梁部１１ｔの表面はベース部材１１の外縁部１１ｘに対して連続する表面形状を有している。図示例の場合、橋梁部１１ｔの表面は幅方向（図４の上下方向）には平坦で、湾曲方向（図４の左右方向）にはベース部材１１全体の湾曲形状にほぼ沿って湾曲している。ただし、橋梁部１１ｔとこれが接続するベース部材１１の外縁部１１ｘとが連続的な表面形状を有していればよく、例えば、橋梁部１１ｔの表面が平坦面であってもよい。ここで、表面形状が連続するとは、一般的なパッキンによって密閉できる範囲未満の曲率半径を有する曲折部を有しないことを言う。
【００２５】
カバー部材１２は、楕円Ｘの中心角０度〜２００度の近傍（１８０〜２２０度）までの範囲に延在するように構成され、この範囲のベース部材１１の表面上に装着される。カバー部材１２は、ステンレス鋼などの金属や合成樹脂等で構成された枠体１２ａと、この枠体１２ａの内側に構成された表示窓１２ｂとを有する。表示窓１２ｂは枠体１２ａに嵌合固定された透明素材（ガラスや透明樹脂）で構成されている。ただし、表示窓１２ｂは素材の存在しない開口で構成されていてもよく、また、カバー部材１２全体が透明素材で構成されていても構わない。そして、図３（ａ）に示すように、表示窓１２ｂを通して後述する内部モジュール１４の表示体１４ａを視認できるように構成されている。
【００２６】
カバー部材１２の裏面の外縁部にはパッキンボックスが構成され、このパッキンボックスに閉曲線状（矩形枠状）のパッキン１５（図７参照）が収容され、このパッキン１５を介してベース部材１１とカバー部材１２が密接している。ただし、パッキン１５はベース部材１１に設けられたパッキンボックスに収容されていてもよいなど、何らかの態様でベース部材１１とカバー部材１２がパッキン１５を介して密接していればよい。そして、ベース部材１１とカバー部材１２は止めねじ１７で固定されている。
【００２７】
また、カバー部材１３の裏面の外縁部にも上記と同様のパッキンボックスが構成され、このパッキンボックスに閉曲線状（矩形枠状）のパッキン１６（図７参照）が収容され、このパッキン１６を介してベース部材１１とカバー部材１３が密接している。ただし、パッキン１６はベース部材１１に設けられたパッキンボックスに収容されていてもよいなど、何らかの態様でベース部材１１とカバー部材１３がパッキン１６を介して密接していればよい。そして、ベース部材１１とカバー部材１２は止めねじ１７で固定されている。
【００２８】
図５は内部モジュール１４の平面図である。内部モジュール１４は、表示体１４ａと、配線基板１４ｂとが導電接続された帯状に構成され、全体が少なくとも上記ベース部材１１の湾曲方向に可撓性を有している。
【００２９】
表示体１４ａは、２枚の透明な可撓性フィルムの内面にそれぞれ透明電極を形成し、これらの可撓性フィルム間に電気光学物質、たとえば、透明な液体とともに、相互に逆の電界方向に向けて移動する異なる色相の粒子（例えば、白い粒子と黒い粒子）を収容したマイクロカプセルを多数含有したもの（例えば、Ｅインク社の電子インク）を配置してなる。この表示体１４ａは、透明電極間に印加する電圧の極性を変えることによって、高いコントラストで所望の表示を形成することができる。表示体１４ａは、上記ベース部材１１の湾曲方向に伸びた帯状の表示領域１４ｘを備えている。なお、表示体１４ａは液晶表示パネルや有機ルミネッセンスパネルで構成されていてもよい。
【００３０】
配線基板１４ｂはポリイミド樹脂等からなるフレキシブル基板であり、基板上若しくは基板内に配線が形成されている。配線基板１４ｂの端部には表示体１４ａの端子が導電接続された端子部１４ｃが設けられている。また、配線基板１４ｂの表面上にはＩＣチップその他の電子部品１４ｙが実装されている。さらに、配線基板１４ｂの表面上にはスイッチ接続用の電極（パッド）１４ｚ、１４ｖが設けられ、また、電池接続用の電極（パッド）１４ｗ、１４ｕも形成されている。
【００３１】
内部モジュール１４は、表示体１４ａがカバー部材１２の内部に配置され、配線基板１４ｂがカバー部材１３の内部に配置されるように、ベース部材１１とカバー部材１２，１３の間に収容される。ここで、内部モジュール１４は、図３（ｂ）に示すように、ベース部材１１の橋梁部１１ｔの裏側に形成された貫通部１１ｓを通過して、この橋梁部１１ｔの湾曲方向両側に延在するように配置される。ここで、貫通部１１ｓには、内部モジュール１４の配線基板１４ｂのうち、上記表示体１４ａに導電接続される端子部１４ｃが設けられる領域が挿通されるように構成することが好ましい。これによって、表示体１４ａの一部が橋梁部１１ｔによって覆われることがなくなるとともに、配線基板１４ｂにおける電子部品１４ｙの実装領域、スイッチ接続用の電極１４ｚ、１４ｖの形成領域などを回避することができるので、貫通部１１ｓの厚みを小さくすることができるため、橋梁部１１ｔが設けられた部分、すなわち、橋梁部１１ｔと貫通部１１ｓが厚み方向に併設された領域の厚みを低減することができる。
【００３２】
なお、図示例では、加工を容易にするために、また、内部モジュール１４の挿通作業を容易にするために、貫通部１１ｓに臨む内底面を平坦に形成しているが、この内底面をベース部材１１の湾曲形状に対応した湾曲面としてもよい。
【００３３】
この橋梁部１１ｔの表面は、上記カバー部材１２，１３の端部とパッキン１５，１６を介して密接している。橋梁部１１ｔの表面は上述のようにベース部材１１の外縁部と連続した表面を構成しているので、パッキン１５，１６と橋梁部１１ｔ及びベース部材１１の外縁部との間にすき間が生じにくくなるため、ベース部材１１とカバー部材１２によって構成されるケース構造の内部空間、並びに、ベース部材１１とカバー部材１３によって構成されるケース構造の内部空間がそれぞれパッキン１５，１６によって確実に密閉される。
【００３４】
カバー部材１３には開口部１３ａが設けられ、この開口部１３ａ内に、配線基板１４ｂ上に形成された電極１４ｚ、１４ｖに導電接続されたスイッチ端子１８Ａと、このスイッチ端子１８Ａとカバー部材１３との間に枠状に介在する合成樹脂等からなる絶縁枠１８Ｂとが取り付けられ（嵌合固定され）ている。スイッチ端子１８Ａは、コイルばね１８Ｃを介して上記の電極１４ｚ、１４ｖに導電接触している。コイルばね１８Ｃは、スイッチ端子１８Ａの底部に開口する収容穴１８ｈの内部に収容された円筒状の部分１８ｅと、この部分１８ｅの下部に接続され、下方に向けて縮径する円錐台状の部分１８ｆとを有し、円錐台状の部分１８ｆが収容穴１８ｈの開口縁で脱出しないように保持されている。
【００３５】
コイルばね１８Ｃは、螺旋状のコイル構造が円筒状の部分１８ｅでは導電接触圧を確保するための弾性力を発揮するように圧縮状態で収容穴１８ｈ内に収容され、円錐台状の部分１８ｆは常時密に巻回された状態となるように構成されて、その先端が電極１４ｚ、１４ｖに当接している。この円錐台状の部分１８ｆは、常時密に巻回された状態とすることにより形状変化しないように構成され、これにより電極１４ｚ，１４ｖとの間の導電接触の安定性が確保されている。
【００３６】
装着者がスイッチ端子１８Ａ及びその周囲のカバー部材１３に指等で触れると、スイッチ端子１８Ａに導電接続された電極１４ｚ、１４ｖの電位が変化してスイッチ操作が検出され、これによって配線基板１４ｂ上に構成された所定の回路によって所定の動作、例えば、表示体の表示内容の切替、設定操作などが実行される。
【００３７】
図６は、カバー部材１５を除去したときの露出部位を示す概略斜視図である。配線基板１４ｂ上には電池保持枠１９Ａ及び電極端子１９Ｂが固定され、図１及び図３（ｅ）に示す電池１９Ｃを電池保持枠１９Ａ内に収容すると、電池１９Ｃの底面に設けられた電極が配線基板１４ｂ上に設けられた上記電極１４ｗに導電接触し、また、電池１９Ｃの側面に設けられた電極が電極端子１９Ｂを介して配線基板１４ｂ上の上記電極１４ｕに導電接触するようになっている。
【００３８】
なお、カバー部材１３は、配線基板１４ｂの厚みに合わせた凹凸状の内面形状を有し、これによってベース部材１１とカバー部材１３によって画成される内部空間の厚みが場所によって異なることとなるように構成されている。例えば、図３（ｃ）に示すように、配線基板１４ｂ上に電子部品１４ｙが実装されている部分では内部空間の厚みが大きく確保されているが、図３（ｄ）に示すように、電子部品１４ｙが実装されていない部分では内部空間の厚みは配線基板１４ｂの厚さよりやや大きい程度とされる。
【００３９】
以上説明した実施形態においては、略Ｃ字状に湾曲した携帯機器１０の湾曲形状の開口部分を通して腕（特に手首部）に装着することができる。従来の腕時計やダイバーズコンピュータ等の腕装着型携帯機器とは異なり、装着部（腕）に沿って帯状（ブレスレット状）に構成された極めて斬新なデザインを実現できる。そして、装着部に沿った湾曲方向に長い表示領域を確保しつつ、小型化・薄型化を図ることができる。さらに、内部モジュール１４は一体に構成されているので、部品点数が少なく、組み立て作業も容易である。内部モジュール１４は全体的に湾曲方向に可撓性を有する（すなわち、表示体１４ａと配線基板１４ｂの双方が湾曲方向の可撓性を有する）ので、ケース構造に適合した状態で内部に収容することができる。
【００４０】
特に、本実施形態では、ベース部材１１に橋梁部１１ｔを設け、この橋梁部１１ｔに共に密接される二つのカバー部材１２，１３をベース部材１１の表面側に装着してなるケース構造を有するので、表示部分と回路部分（或いは電池部分）を別々に開閉することができるとともに、それぞれの密閉性或いは防水性を確保することが可能になる。
【００４１】
また、上記の橋梁部１１ｔの裏側に内部モジュール１４が余裕を持って挿通された状態とされているので、内部モジュール１４をベース部材１１に保持しつつ、熱変形や寸法のばらつきにより内部モジュール１４が撓むことのできるように構成されている。したがって、内部モジュール１４が機械的ストレスを受けにくくなる。
【００４２】
さらに、橋梁部１１ｔはベース部材１１の断面２次モーメントを増大させるので、橋梁部１１ｔを設けた部分の剛性を高めることができる。ここで、橋梁部１１ｔが楕円Ｘに沿った湾曲形状のベース部材１１に設けられる場合、楕円Ｘの短軸との交点Ｘｂ、Ｘｄよりも長軸との交点Ｘｃに近い領域に沿った中途領域、すなわち、端部以外の領域に設けられていることにより、応力の集中する当該中途領域の剛性を高めることができるので、湾曲形状を容易に維持することができ、また、湾曲形状を維持するためのベース部材１１の厚みを低減することができる。特に、橋梁部１１ｔが設けられた位置においては二つのカバー部材１２と１３が別々にベース部材１１に装着されるため、カバー部材１２，１３の支持力を得ることができなくなるが、橋梁部１１ｔが設けられることによる断面２次モーメントの増大で剛性が高められることが、カバー部材１２，１３の支持力の欠如を補う形になるので、好都合である。
【００４３】
また、橋梁部１１ｔを楕円Ｘの短軸との交点Ｘｂ、Ｘｄよりも長軸との交点Ｘｃに近い領域に沿った中途領域に設けることにより、曲率半径が小さい場所に橋梁部１１ｔが形成されることとなるので、貫通部１１ｓを図示例のように直線状に形成することが可能になるとともに、その貫通距離を短く構成できるため、内蔵モジュール１４の挿通作業を容易に行うことができるようになる。
【００４４】
尚、本発明の携帯機器は、上述の図示例にのみ限定されるものではなく、本発明の要旨を逸脱しない範囲内において種々変更を加え得ることは勿論である。例えば、湾曲した形状を有するのであれば、ケース構造の中心角範囲が実施形態よりも小さくても大きくてもよい。また、ケース構造の全体が湾曲している必要はなく、一部が平坦に構成されていてもよく、或いは、湾曲部分が存在しなくても構わない。さらに、湾曲形状の開口部分に連結具を着脱可能に構成し、上記開口部分を閉鎖できるように構成してもよい。カバー部材は少なくとも二つ設けられていればよく、３以上のカバー部材が存在しても構わない。また、本発明は、上記実施形態のように腕装着型の機器に限らず、例えば、ヘアバンドのように頭部に装着するものなど、種々の態様で構成できる。
【図面の簡単な説明】
【００４５】
【図１】実施形態の概略斜視図。
【図２】実施形態の湾曲方向に沿った断面構造を示す概略縦断面図。
【図３】図２のＳａ〜Ｓｅで示す部分の幅方向に沿った断面構造を示す断面図（ａ）〜（ｅ）。
【図４】実施形態のベース部材の一部を示す概略平面図。
【図５】実施形態の内部モジュールの概略平面図。
【図６】実施形態から一方のカバー部材を取り去り、その露出部分を示す概略斜視図。
【図７】パッキンの装着時の形状を示す概略斜視図。
【符号の説明】
【００４６】
１０…装着型携帯機器、１１…ベース部材、１１ｓ…貫通部、１１ｔ…橋梁部、１１ｘ…外縁部、１２…カバー部材、１２ａ…枠部材、１２ｂ…表示窓、１３…カバー部材、１３ａ…開口部、１４…内部モジュール、１４ａ…表示体、１４ｘ…表示領域、１４ｂ…配線基板、１４ｃ…端子部、１４ｙ…電子部品、１４ｚ，１４ｖ…電極、１４ｗ，１４ｕ…電極、１５，１６…パッキン、１７…止めねじ、１８Ａ…スイッチ端子、１８Ｂ…絶縁枠、１８Ｃ…コイルばね、１９Ａ…電池保持枠、１９Ｂ…電極端子、１９Ｃ…電池
【図１】
2007051965.tif 000003
【図２】
2007051965.tif 000004
【図３】
2007051965.tif 000005
【図４】
2007051965.tif 000006
【図５】
2007051965.tif 000007
【図６】
2007051965.tif 000008
【図７】
2007051965.tif 000009